(57)【要約】【課題】受け取り側で、読取画像データが誰から送られて来たのかを判別することができる。【解決手段】画像処理装置１は、携帯端末２と通信可能に接続され、原稿画像を読み取る画像読取部１１を備える画像処理装置であって、前記画像読取部１１が読み取った原稿画像を読取画像データとして出力する画像読取制御部３１と、前記携帯端末の所持者を撮像した撮像画像をデータ化した撮像画像データ、及び該所持者の発音を録音した録音データの何れか一方又は双方からなる所持者特定データを前記携帯端末から受信する外部端末通信部３３と、前記読取画像データ等ならびに前記所持者特定データを電子メールに添付して送信先端末４に送信する電子メール送信部３４と、を備えることを特徴とする。【選択図】図２
2012195648.tif 000002
【特許請求の範囲】
【請求項１】
携帯端末と通信可能に接続され、原稿画像を読み取る画像読取部を備える画像処理装置であって、
前記画像読取部が読み取った原稿画像を読取画像データとして出力する画像読取制御部と、
前記携帯端末の所持者を撮像した撮像画像をデータ化した撮像画像データ、及び該所持者の発音を録音した録音データの何れか一方又は双方からなる所持者特定データを前記携帯端末から受信する外部端末通信部と、
前記読取画像データ、前記読取画像データを縮小した縮小画像データ、及び前記読取画像データの保存先を示す保存先データの少なくとも何れか一つならびに前記所持者特定データを電子メールに添付して送信先端末に送信する電子メール送信部と、
を備えることを特徴とする画像処理装置。
【請求項２】
前記電子メール送信部は、
前記所持者特定データとして、前記撮像画像の縮小画像のデータを表示可能に添付する、
ことを特徴とする請求項１に記載の画像処理装置。
【請求項３】
前記外部端末通信部は、
前記携帯端末の所持者に対して、所持者自身の顔画像を撮像させるための撮像誘導画面、及び所持者の発音を録音させるための録音誘導画面の何れか一方又は双方からなる情報、及び当該撮像誘導画面の応答として撮像画像データを送信させ、当該録音誘導画面の応答として録音データを送信させるプログラムを前記携帯端末に送信する、
ことを特徴とする請求項１又は請求項２に記載の画像処理装置。
【請求項４】
前記外部端末通信部は、
前記携帯端末の所持者に対して、所持者自身の顔画像を撮像させるための撮像誘導画面、及び所持者の発音を録音させるための録音誘導画面の何れか一方又は双方からなる情報を表示部に表示する、
ことを特徴とする請求項１又は請求項２に記載の画像処理装置。
【請求項５】
前記外部端末通信部は、
さらに、前記送信先端末のアドレス情報を前記携帯端末から受信し、
前記電子メール送信部は、
受信した前記アドレス情報を電子メールの送信先に設定する、
ことを特徴とする請求項１ないし請求項４の何れか１項に記載の画像処理装置。
【請求項６】
前記画像読取制御部は、
前記画像読取部に、前記原稿画像の原稿がセットされていない場合に、原稿のセットを促すメッセージを表示部に表示する、
ことを特徴とする請求項１ないし請求項５の何れか１項に記載の画像処理装置。
【請求項７】
前記画像読取制御部は、
前記画像読取部に、前記原稿画像の原稿がセットされていない場合に、原稿のセットを促すメッセージを前記携帯端末に送信する、
ことを特徴とする請求項１ないし請求項５の何れか１項に記載の画像処理装置。
【請求項８】
前記外部端末通信部が前記撮像画像データ、及び前記録音データを受信した場合に任意に決定されたパスワードに関連付けて受信した当該撮像画像データ、及び当該録音データが記憶されるユーザ情報格納部をさらに備え、
前記外部端末通信部は、
前記パスワードを前記携帯端末に送信し、
前記画像読取制御部は、
前記携帯端末に送信した前記パスワードの入力後に原稿画像の読み取りを開始し、
前記電子メール送信部は、
入力されたパスワードをキーにして前記ユーザ情報格納部を検索し、該当する前記撮像画像データ、及び録音データを読み取った前記読取画像データと共に電子メールに添付して前記送信先端末に送信する、
ことを特徴とする請求項１ないし請求項７の何れか１項に記載の画像処理装置。
【発明の詳細な説明】
【技術分野】
【０００１】
本発明は、原稿画像を読み取ることで電子化された読取画像データを送信する画像処理装置に関する。
【背景技術】
【０００２】
原稿画像を読み取ることで電子化された読取画像データを送信する画像処理装置としては、例えば、ネットワークスキャナ機能を備えた複合装置（ＭＦＰ:Multi Function Printer)がある。
【０００３】
従来、この種の画像処理装置では、原稿読み取り部で原稿を読み取り、画像処理部で読み取った原稿の画像に対して画像処理を行い、指定されたフォーマット（ＰＤＦファイル、ＪＰＥＧファイル、ＴＩＦＦファイル等）に変換後、画像処理装置に登録済みの電子メールアドレスを指定してファイルを送信する（特許文献１参照）。以下、この処理を「Ｓｃａｎ  ｔｏ  Ｅ−Ｍａｉｌ」処理と呼ぶときがある。
【先行技術文献】
【特許文献】
【０００４】
【特許文献１】特開２００５−３３３２９９号公報（段落００１２〜００３０）
【発明の概要】
【発明が解決しようとする課題】
【０００５】
しかしながら、従来の画像処理装置では、原稿(原稿画像)を読み取ることで電子化された読取画像データを単に送信するので、読取画像データの受け取り側は、読取画像データが誰から送られて来たのかが分からないという問題があった。
【０００６】
本発明は、前記問題に鑑みてなされたものであり、受け取り側で読取画像データが誰から送られて来たのかが分かる画像処理装置を提供することを目的とする。
【課題を解決するための手段】
【０００７】
前記目的を達成するため、本発明に係る画像処理装置は、携帯端末と通信可能に接続され、原稿画像を読み取る画像読取部を備える画像処理装置であって、前記画像読取部が読み取った原稿画像を読取画像データとして出力する画像読取制御部と、前記携帯端末の所持者を撮像した撮像画像をデータ化した撮像画像データ、及び該所持者の発音を録音した録音データの何れか一方又は双方からなる所持者特定データを前記携帯端末から受信する外部端末通信部と、前記読取画像データ、前記読取画像データを縮小した縮小画像データ、及び前記読取画像データの保存先を示す保存先データの少なくとも何れか一つならびに前記所持者特定データを電子メールに添付して送信先端末に送信する電子メール送信部と、を備えることを特徴とする。
【０００８】
携帯端末の所持者自身の顔画像を撮像した撮像画面のデータと、読取画像データとの双方を電子メールに添付して送信することにより、送信先端末の使用者は、誰からの読取画像データであるか否かを判断することできる。また、携帯端末の所持者が発音した音声（氏名）を録音した録音データと、読取画像データとの双方を電子メールに添付して送信することにより、送信先端末の使用者は、録音された氏名や声紋から誰からの読取画像データであるか否かを判別することができる。また、録音データに読取画像データの送信目的が記録されていれば、読取画像データが何の目的で送信されたものであるか否かを理解することができる。
【０００９】
また、携帯端末の所持者自身の撮像画面のデータ、及び録音データを送信することにより、録音データに氏名が記録されておらず、声紋判別が困難な場合でも、確実に携帯端末の所持者を特定することができる。また、送信先端末がＰＣでなく携帯端末である場合には、撮像画面や読取画像の縮小画像のデータを添付することが好ましい。
【００１０】
また、携帯端末や情報処理装置の表示部に、携帯端末の所持者自身の顔画像を撮像させるための誘導画面を表示することが好ましい。また、撮像画像データが、顔画像であるか否かを判定する顔画像判定部を情報処理装置に設けることが好ましい。
【発明の効果】
【００１１】
本発明によれば、受け取り側で読取画像データが誰から送られて来たのかを判別することができる。また、音声ファイルを受信することで、読取画像データの送信目的が何かを理解することができる。
【図面の簡単な説明】
【００１２】
【図１】第１実施形態に係る画像送信システムの構成図である。
【図２】第１実施形態に係る画像処理装置の構成図である。
【図３】第１実施形態に係る画像処理装置が備える入出力部の構成図である。
【図４】第１実施形態に係る画像処理装置が送信する電子メールの受け取り側での画面表示を説明するための図である。
【図５】第１実施形態に係る画像送信システムにおける画像処理装置側の処理を説明するためのフローチャートである。
【図６】第１実施形態に係る画像送信システムにおける携帯端末側の送信処理を説明するためのフローチャートである。
【図７】第１実施形態に係る画像処理システムにおける携帯端末側の受信処理を説明するためのフローチャートである。
【図８】第２実施形態に係る画像処理装置の構成図である。
【図９】第２実施形態に係る画像処理装置の入出力部に表示するメッセージの一例を示す図である。
【図１０】第２実施形態に係る画像送信システムにおける画像処理装置側の処理を説明するためのフローチャートである。
【図１１】第３実施形態に係る画像処理装置の構成図である。
【図１２】第３実施形態に係る画像処理装置の入出力部に表示するメッセージの一例を示す図である。
【図１３】第３実施形態に係る画像送信システムにおける画像処理装置側の処理を説明するためのフローチャート（１）である。
【図１４】第３実施形態に係る画像送信システムにおける画像処理装置側の処理を説明するためのフローチャート（２）である。
【発明を実施するための形態】
【００１３】
以下、図面を参照して、本発明の実施の形態につき詳細に説明する。
なお、各図は、本発明を十分に理解できる程度に、概略的に示してあるに過ぎない。よって、本発明は、図示例のみに限定されるものではない。なお、各図において、共通する構成要素や同様な構成要素については、同一の符号を付し、それらの重複する説明を省略する。
【００１４】
[第１実施形態]
≪第１実施形態に係る画像送信システムの構成≫
以下、図１を参照して、第１実施形態に係る画像送信システムの構成について説明する。なお、図１は、第１実施形態に係る画像送信システム１００の構成図である。
【００１５】
画像送信システム１００は、画像処理装置１、携帯端末２、メールサーバ３、及びメールの送信先端末４がネットワーク５を介して通信可能に接続されている。
【００１６】
＜携帯端末＞
携帯端末２は、アドレス帳機能、録音機能、カメラ機能、画像処理装置１との通信機能を備える。携帯端末２として、例えば、携帯電話、スマートフォン、ＰＤＡ(Personal Digital Assistant)、ノートパソコン等を利用することができる。また、携帯端末２は、構内で使用される内線用携帯端末でもよい。
【００１７】
「アドレス帳機能」とは、携帯端末２の所持者(ユーザ)が入力するアドレス情報を携帯端末２内にテキストデータとして記憶する機能である。アドレス情報としては、例えば、電子メールアドレスが該当する。
【００１８】
「録音機能」とは、携帯端末２のユーザが喋る音声を携帯端末２内に音声ファイル(以下、「録音データ」と呼ぶ場合がある)として記憶する。録音データのファイル形式は、例えば、ＷＡＶ(Wave File Format)形式を用いる。ユーザは、例えば、ユーザの「氏名」、読取画像データの「送信目的」等を録音する。
【００１９】
「カメラ機能」とは、携帯端末２のユーザが撮影(撮像)する画像(撮像画像)を携帯端末２内に画像ファイル（以下、「撮像画像データ」と呼ぶ場合がある）として記憶する。撮像画像データのファイル形式は、例えば、ＪＰＥＧ(Joint Photographic Experts Group)形式を用いる。ユーザは、例えば、ユーザ自身の「顔画像」を撮像する。
【００２０】
「画像処理装置との通信機能」とは、アドレス帳機能で作成したアドレス情報、録音機能で作成した録音データ、及びカメラ機能で作成した撮像画像データを画像処理装置１に送信する機能である。
【００２１】
＜メールサーバ＞
メールサーバ３は、画像処理装置１から送信される電子メールの送受信を管理する装置である。図１では、省略して記載されているが、電子メールの送信を担当するＳＭＴＰサーバと、電子メールの受信を担当するＰＯＰサーバとに分かれて構成される。
【００２２】
＜送信先端末＞
送信先端末４は、画像処理装置１から送信される電子メールを受け取る側の端末であり、例えば、ＰＤＦファイル及びＴＩＦＦファイルを閲覧可能なＰＣ(Personal Computer)、携帯端末等が該当する。
【００２３】
＜ネットワーク＞
ネットワーク５は、インターネット、イントラネット、公衆回線、携帯電話回線等で構成され、有線及び無線の少なくともどちらか一方で構成され、データ通信を実現する。
【００２４】
＜画像処理装置＞
画像処理装置１は、例えば、原稿画像を読み取ることで電子化された読取画像データを送信することができるネットワークスキャナ機能を備えた装置である。ここでは、画像処理装置１として、ネットワークスキャナ機能及びプリンタ機能を備えた複合装置やＦＡＸを想定して説明する。
【００２５】
図２を参照し、画像処理装置１は、画像読取部１１、ＬＡＮインタフェース１２、入出力部１３、記憶部２０、及び制御部３０を備えて構成される。
【００２６】
（画像読取部）
画像読取部１１は、ＡＤＦ(Auto Document Feeder)やフラットベッド方式が用いられ、ＣＣＤ(Charge Coupled Device)等のラインセンサ、ライン状の発光素子、機構部、モータ、その他のセンサ等で構成される。画像読取部１１は、画像処理装置１にセットされた原稿画像を読み取る(原稿画像をスキャンする)。
【００２７】
（ＬＡＮインタフェース）
ＬＡＮインタフェース１２は、画像処理装置１を物理的にネットワーク５と接続し、ネットワーク５に接続される携帯端末２、メールサーバ３、及び送信先端末４との通信を可能にする。
【００２８】
（入出力部）
入出力部１３は、画像処理装置１の筺体外側に取り付けられた操作パネルである。図３に入出力部１３の構成を示す。
入出力部１３は、表示部としての液晶ディスプレイ４１、文字入力キー４２、メニュー選択に用いる十字キー４３、スキャンのスタートキー４４で構成される。
【００２９】
（記憶部）
記憶部２０は、ＲＡＭ(Random Access Memory)、フラッシュメモリ等の記憶素子で構成される。記憶部２０は、送信先端末４のアドレス情報が記憶されるアドレス帳２１、及び画像読取部１１が読み取った画像の電子データの保存エリアである画像格納部２２の領域に分けられる。
なお、送信先端末４のアドレス情報は必ずアドレス帳２１に登録されている必要はなく、電子メール送信時にユーザにより入出力部１３、又は携帯端末２を介して入力されてもよい。
【００３０】
（制御部）
制御部３０は、ＣＰＵにより構成され、ハードウェア制御部３１、画像処理部３２、外部端末通信部３３、及び電子メール送信部３４をさらに備えて構成される。これらの機能は、記憶部２０に格納される図示しないプログラムを実行することにより実現される。
【００３１】
（ハードウェア制御部）
ハードウェア制御部３１は、画像処理装置１が有するハードウェア（画像読取部１１、ＬＡＮインタフェース１２、入出力部１３、及び記憶部２０）を制御及び管理する。
具体的に、ハードウェア制御部３１は、画像読取部１１を用いて原稿から読み取った原稿画像を電子データ（以下、「読取画像データ」と呼ぶ場合がある）として出力する。また、ハードウェア制御部３１は、ＬＡＮインタフェース１２によるデータの送受信処理を制御し、入出力部１３による入力処理及び出力処理を制御し、さらに、記憶部２０の管理を行う。なお、以下では、ハードウェア制御部３１のうち、画像処理部１１を制御する部分を画像読取制御部３１と呼ぶ場合がある。
【００３２】
（画像処理部）
画像処理部３２は、画像読取制御部３１が画像読取部１１を制御して出力された読取画像データの編集処理、並びに、フォーマット、解像度等のファイル変換処理を行い、画像格納部２２に格納する。
【００３３】
（外部端末通信部）
外部端末通信部３３は、携帯端末２が備えるアドレス帳機能で作成したアドレス情報、録音機能で作成した録音データ、及びカメラ機能で作成した撮像画像データを受信する。ここで、撮像画像データ、及び録音データの何れか一方又は双方からなる情報を、所持者特定データと呼ぶ場合がある。
また、外部端末通信部３３は、携帯端末２との間で上記データ以外のデータを送受信する。詳細は、後記する「画像送信システムの動作」で説明する。
なお、外部端末通信部３３を介しての画像処理装置１と携帯端末２との通信は、ネットワーク５としてインターネットを用いる場合、「ＩＰｖ４」,「ＩＰｖ６」等のプロトコルを用いて行う。それより上位のプロトコルは、種々のものを用いることが可能である。
【００３４】
（電子メール送信部）
電子メール送信部３４は、画像処理装置１の画像読取制御部３１で読み取った原稿画像の読取画像データ、携帯端末２が備える録音機能で録音し外部端末通信部３３を介して受信した録音データ、及び携帯端末のカメラ機能で撮影し、外部端末通信部３３を介して受信した、送信者自身である携帯端末２の所持者の撮像画像データを添付ファイルとする電子メールを送信先端末４に送信する。
【００３５】
図４に、電子メール送信部３４が送信した電子メールの受け取り側である送信先端末４の表示画面５０を示す。
表示画面５０は、電子メールのアプリケーションで、「Ｓｃａｎ  ｔｏ  Ｅ−Ｍａｉｌ」処理で送信されたメールを開いた画面である。
【００３６】
表示画面５０は、画像処理装置１の画像読取制御部３１で読み取った原稿画像の読取画像データが添付されるｉｍａｇｅファイル欄５１、携帯端末２が備える録音機能で録音し外部端末通信部３３を介して受信した録音データが添付されるメッセージファイル欄５２、及び携帯端末２が備えるカメラ機能で撮影し、外部端末通信部３３を介して受信した送信者自身の撮像画像データが添付される画像ファイル欄５３を含んで構成される。
以上で、本発明の第１実施形態に係る画像送信システム１００の構成の説明を終了する。
【００３７】
≪第１実施形態に係る画像送信システムの動作≫
＜画像処理装置側の動作＞
以下、図５を参照して、第１実施形態に係る画像送信システム１００における画像処理装置１側の動作を説明する。
【００３８】
ここで、携帯端末２のユーザは、携帯端末２の録音機能を用いて送信先端末４のユーザに対する音声メッセージを録音し、録音したメッセージは、携帯端末２内に録音データとして記憶されているものとする。
また、携帯端末２のユーザは、携帯端末２のカメラ機能を用いてユーザ自身を撮影し、撮影した写真は、携帯端末２内に撮像画像データとして記憶されているものとする。
【００３９】
最初に、入出力部１３の十字キー４３（図３参照）を操作することで「Ｓｃａｎ  ｔｏ  Ｅ−Ｍａｉｌ」処理が選択されると、外部端末通信部３３は、携帯端末２からの通信待ちを開始する（ステップＳ１０１）。
【００４０】
次に、外部端末通信部３３は、携帯端末２からの接続があったか否かを判定する（ステップＳ１０２）。携帯端末２からの接続があったと判定された場合（ステップＳ１０２“Ｙｅｓ”）に、処理はステップＳ１０３に進む。一方、携帯端末２からの接続がなかったと判定された場合（ステップＳ１０２“Ｎｏ”）に、処理はステップＳ１０１に戻る。
【００４１】
前記ステップＳ１０２“Ｙｅｓ”の場合、続いて、外部端末通信部３３は、携帯端末２からの情報待ちを開始する（ステップＳ１０３）。具体的には、外部端末通信部３３は、携帯端末２が備えるアドレス帳機能で作成したアドレス情報、録音機能で作成した録音データ、及びカメラ機能で作成した撮像画像データの受信待ちを開始する。
【００４２】
次に、外部端末通信部３３は、携帯端末２からの情報を受信したか否かを判定する（ステップＳ１０４）。携帯端末２からの情報を受信したと判定した場合（ステップＳ１０４“Ｙｅｓ”）に、処理はステップＳ１０５に進む。ここで、受信した情報がアドレス情報の場合は、電子メール送信部３４は、受信したアドレス情報を電子メールの送信先アドレスに設定する。一方、携帯端末からの情報を受信していないと判定した場合（ステップＳ１０４“Ｎｏ”）に、処理はステップＳ１０３に戻る。
【００４３】
前記ステップＳ１０４“Ｙｅｓ”の場合、続いて、外部端末通信部３３は、携帯端末２から受信したアドレス情報を電子メールの送信先アドレスに設定した、又は、アドレス帳２１に登録されているアドレス情報を電子メールの送信先アドレスに設定したか否かを判定する（ステップＳ１０５）。電子メールの送信先アドレスが設定済みの場合（ステップＳ１０５“Ｙｅｓ”）に、処理はステップＳ１０７に進む。一方、電子メールの送信先アドレスが設定済みでない場合（ステップＳ１０５“Ｎｏ”）に、処理はステップＳ１０６に進む。
【００４４】
なお、携帯端末２からアドレス情報を受信せずに、アドレス帳２１に登録されているアドレス情報が電子メールの送信先アドレスに設定された場合に、アドレス帳２１に登録されているアドレス情報が有効になるようにする。
【００４５】
前記ステップＳ１０５“Ｎｏ”の場合、続いて、外部端末通信部３３は、携帯端末２に対して、送信先アドレスを設定する旨のメッセージ(通知)を送信する（ステップＳ１０６）。そして、処理をステップＳ１０５に戻す。
前記ステップＳ１０５“Ｙｅｓ”の場合、続いて、画像読取制御部３１は、画像読取部１１を用いて原稿画像のスキャン(読み取り)を開始する（ステップＳ１０７）。
【００４６】
次に、画像処理部３２は、画像読取部１１でスキャンした画像を指定フォーマット（ＰＤＦ，ＪＰＥＧ，ＴＩＦＦ等）に変換し、電子メール送信部３４は、変換した読取画像データを添付ファイルとする電子メールの編集及び送信を行う（ステップＳ１０８）。ここで、電子メール送信部３４は、ステップＳ１０４で、録音機能で作成した録音データ、及びカメラ機能で作成した撮像画像データの内いずれかのデータを受信している場合は、受信したデータも添付ファイルとして電子メールの編集を行う。
【００４７】
なお、電子メール送信部３４は、撮像画像データに代えて、電子メールに貼り付けてもデータ容量が少なく、且つ、受け取る側が認識できるサイズに撮像画像を縮小した縮小画像のデータを表示可能に添付してもよい。ここで、撮像画像の縮小には、顔部分以外を削除する処理も含む。
また、電子メール送信部３４は、読取画像データに代えて、読取画像データの保存先を示す情報(保存先データ)を表示する、又は読取画像データと共に、読取画像データを縮小した縮小画像データを表示可能に添付してもよい。ここで、読取画像データの縮小には、データサイズを圧縮する処理も含む。
【００４８】
次に、外部端末通信部３３は、電子メールの送信が正常に完了したか否かを判定する（ステップＳ１０９）。電子メールの送信が正常に完了したと判定した場合（ステップＳ１０９“Ｙｅｓ”）に、処理はステップＳ１１０に進む。一方、電子メールの送信が正常に完了していないと判定した場合(すなわち、電子メールの送信に失敗した場合)に、処理はステップＳ１１１に進む。
【００４９】
前記ステップＳ１０９“Ｙｅｓ”の場合、続いて、外部端末通信部３３は、携帯端末２に対して、電子メール送信処理が正常に終了したこと(正常処理終了)を表すメッセージ(通知)を送信する（ステップＳ１１０）。
【００５０】
前記ステップ１０９“Ｎｏ”の場合、続いて、外部端末通信部３３は、携帯端末２に対して、電子メール送信処理が失敗したことを表すメッセージ(通知)を送信する（ステップＳ１１１）。
以上で、本発明の第１実施形態に係る第１実施形態に係る画像送信システムの動作の内、画像処理装置１側の動作の説明を終了する。
【００５１】
＜携帯端末側の送信処理の動作＞
以下、図６を参照して、第１実施形態に係る画像送信システムにおける携帯端末２側の送信処理の動作を説明する。なお、携帯端末２側の送信処理は、携帯端末２が備えるアプリケーションプログラムを起動することで実現する。
【００５２】
最初に、ユーザが携帯端末２の通信機能を起動すると、通信機能は、画像処理装置１からの通信待ちを開始する（ステップＳ２０１）。
【００５３】
次に、携帯端末２の通信機能は、画像処理装置１からの接続があり、外部端末通信部３３とのマッチングが取れたか否かを判定する（ステップＳ２０２）。画像処理装置１からの接続があったと判定された場合（ステップＳ２０２“Ｙｅｓ”）に、処理はステップＳ２０３に進む。一方、画像処理装置１からの接続がなかったと判定された場合（ステップＳ２０２“Ｎｏ”）に、処理はステップＳ２０１に戻る。
【００５４】
前記ステップＳ２０２“Ｙｅｓ”の場合、続いて、通信機能は、携帯端末２を用いて送信先アドレスの設定がされるか否かを判定する（ステップＳ２０３）。送信先アドレスの設定がされると判定された場合（ステップＳ２０３“Ｙｅｓ”）に、処理はステップＳ２０４に進む。一方、送信先アドレスの設定がされないと判定された場合（ステップＳ２０３“Ｎｏ”）に、処理はステップＳ２０５に進む。
【００５５】
前記ステップＳ２０３“Ｙｅｓ”の場合、続いて、通信機能は、携帯端末２のアドレス帳機能に登録されるアドレス情報の選択、又は携帯端末の文字キーを介して送信先アドレスの入力を受け付ける。
【００５６】
次に、通信機能は、携帯端末２が備える録音機能による音声ファイル(録音データ)の作成が行われるか否かを判定する（ステップＳ２０５）。録音機能による音声ファイル(録音データ)の作成が行われる場合（ステップＳ２０５“Ｙｅｓ”）に、処理はステップＳ２０６に進む。一方、録音機能による音声ファイル(録音データ)の作成が行われないと判定された場合（ステップＳ２０５“Ｎｏ”）に、処理はステップＳ２０７に進む。
【００５７】
前記ステップＳ２０５“Ｙｅｓ”の場合、続いて、ユーザは、携帯端末２に備えられる内蔵マイクに向かって、送信先に対して音声によるメッセージ(ユーザの「氏名」、読取画像データの「送信目的」等)を録音する。これにより、録音機能は、内蔵マイクから音声情報の入力を受け付け、音声ファイル(録音データ)を作成する（ステップＳ２０６）。
【００５８】
次に、通信機能は、カメラ機能によるユーザ自身を撮影した写真の画像ファイル(撮像画像データ)の作成が行われるか否かを判定する（ステップＳ２０７）。カメラ機能を用いて撮影した（ユーザ自身の）写真の画像ファイル(撮像画像データ)の作成が行われる場合（ステップＳ２０７“Ｙｅｓ”）に、処理はステップＳ２０８に進む。一方、カメラ機能によるユーザ自身を撮影した写真の画像ファイル(撮像画像データ)の作成が行われないと判定された場合（ステップＳ２０７“Ｎｏ”）に、処理はステップＳ２０９に進む。
【００５９】
前記ステップＳ２０７“Ｙｅｓ”の場合、続いて、ユーザは、携帯端末２に備えられる内蔵カメラを使って、ユーザ自身の顔写真を撮影する。ユーザ自身の顔写真を撮影するのは、電子メールを受け取った側で送信者が誰であるかが認識できるようにするためであり、送信者が限定できれば顔写真の撮影に限定されない。
これにより、カメラ機能は、内蔵カメラからユーザ自身を撮影した写真の画像情報の入力を受け付け、画像ファイル(撮像画像データ)を作成する（ステップＳ２０８）。
【００６０】
次に、通信機能は、ステップＳ２０４で選択されたアドレス情報、ステップＳ２０６で作成された録音データ、及びステップＳ２０８で作成された撮像画像データを画像処理装置１に送信するための送信ボタンがユーザにより押下されたか否かを判定する（ステップＳ２０９）。送信ボタンが押下された場合（ステップＳ２０９“Ｙｅｓ”）に、処理はステップＳ２１０に進む。一方、送信ボタンが押下されない場合（ステップＳ２０９“Ｎｏ”）に、処理はステップＳ２０３に戻る。
【００６１】
前記ステップＳ２０９“Ｙｅｓ”の場合、続いて、通信機能は、ステップＳ２０４で選択されたアドレス情報、ステップＳ２０６で作成された録音データ、及びステップＳ２０８で作成された撮像画像データを画像処理装置１に送信する（ステップＳ２１０）。
ステップＳ２１０で、携帯端末２から送信されるデータは、図５に示すステップＳ１０４で、画像処理装置１の外部端末通信部３３が受信する。
以上で、本発明の第１実施形態に係る第１実施形態に係る画像送信システム１００の動作の内、携帯端末２側の送信処理の動作の説明を終了する。
【００６２】
＜携帯端末側の受信処理の動作＞
以下、図７を参照して、第１実施形態に係る画像処理システム１００における携帯端末２側の受信処理の動作を説明する。
【００６３】
ステップＳ２１０（図６参照）で、画像処理装置１に対してデータを送信すると、通信機能は、画像処理装置１からの通信待ちを開始する（ステップＳ３０１）。
【００６４】
次に、携帯端末２の通信機能は、図５に示すステップＳ１０６の送信先アドレスを設定する旨のメッセージを画像処理装置１から受信したか否かを判定する（ステップＳ３０２）。メッセージを受信した場合（ステップＳ３０２“Ｙｅｓ”）に、処理はステップＳ３０３に進む。一方、メッセージを受信しなかった場合（ステップＳ３０２“Ｎｏ”）に、処理はステップＳ３０１に戻る。
【００６５】
前記ステップＳ３０２“Ｙｅｓ”の場合、続いて、通信機能は、画像処理装置１から受信したメッセージである、アドレス設定を促すメッセージを表示する（ステップＳ３０３）。
以上で、本発明の第１実施形態に係る第１実施形態に係る画像送信システム１００の動作の内、携帯端末２側の受信処理の動作の説明を終了する。
【００６６】
なお、図５に示すステップＳ１１０の電子メール送信処理が正常に終了したこと(正常処理終了)を表すメッセージ(通知)、又はステップ１１１の電子メール送信処理が失敗したことを表すメッセージ(通知)を受信した場合には、図７に示す受信処理のステップＳ３０３で表示するメッセージが異なるだけなので説明は省略する。
以上で、本発明の第１実施形態に係る第１実施形態に係る画像送信システム１００の動作の説明を終了する。
【００６７】
以上のように、第１実施形態に係る画像処理装置１は、携帯端末２のカメラ機能で撮影された送信者である携帯端末２の所持者の顔写真を画像として電子メールに貼り付けることができる。このため、受け取り側は、誰から送信された電子メールなのか分かり易い。
また、第１実施形態に係る画像処理装置１は、携帯端末２の録音機能で録音された音声（ユーザの「氏名」、読取画像データの「送信目的」等）をメッセージとして電子メールに添付することができるこれにより、電子メールに添付された音声ファイルをクリックすることで、ユーザの「氏名」、読取画像データの「送信目的」等を含んだ送信者の音声メッセージが再生される。このため、受け取り側は、誰から送信された電子メールなのか、及び送付した読取画像データの内容を把握できる。
【００６８】
[第２実施形態]
≪概要≫
第２実施形態に係る画像送信システム１００ａでは、画像処理装置１ａに原稿がセットされていない場合に、画像処理装置１ａの入出力部１３にメッセージを表示する。
【００６９】
≪第２実施形態に係る画像送信システムの構成≫
＜画像処理装置＞
図８を参照して、第２実施形態に係る画像処理装置１ａの構成について説明する。
第２実施形態に係る画像処理装置１ａは、第１実施形態に係る画像処理装置１と比較して、画像読取部１１ａ及び画像読取制御部(ハードウェア制御部)３１ａの機能が変更されている。
【００７０】
（画像読取部）
画像読取部１１ａは、第１実施形態の画像読取部１１（図２参照）の機能に加えて、原稿画像を読み取る際に、原稿がセットされているか否かを図示しない用紙センサを用いて感知し、ハードウェア制御部３１ａに信号を送信する。
【００７１】
（画像読取制御部）
画像読取制御部(ハードウェア制御部)３１ａは、第１実施形態の画像読取制御部３１（図２参照）の機能に加えて、画像読取部１１ａから原稿がセットされていないことを示す信号を受信し、原稿がセットされていない場合に、入出力部１３に原稿がセットされていない旨のメッセージを表示する。図９に、画像読取制御部３１ａが、表示部としての液晶ディスプレイ４１に表示するメッセージの一例を示す。
以上で、本発明の第２実施形態に係る画像送信システム１００ａの構成の説明を終了する。
【００７２】
≪第２実施形態に係る画像送信システムの動作≫
＜画像処理装置側の動作＞
以下、図１０を参照して、第２実施形態に係る画像送信システム１００ａにおける画像処理装置１ａ側の動作を説明する。なお、図５に示す第１実施形態に係る画像送信システム１００における画像処理装置１側の動作との相違は、ステップＳ１０５とステップＳ１０７との間にステップＳ４０１及びステップＳ４０２が追加されている点である。
【００７３】
ステップＳ１０５に続き、画像読取制御部３１ａは、画像読取部(スキャナ)１１ａに原稿がセットされているか否かを判定する（ステップＳ４０１）。原稿がセットされていると判定した場合（ステップＳ４０１“Ｙｅｓ”）に、処理はステップＳ１０７に進む。一方、原稿がセットされていないと判定した場合（ステップＳ４０１“Ｎｏ”）に、処理はステップＳ４０２に進む。
【００７４】
前記ステップＳ４０１“Ｎｏ”の場合、続いて、画像読取制御部３１ａは、入出力部１３に原稿がセットされていない旨のメッセージを表示する（ステップＳ４０２）。画像読取制御部３１ａは、例えば「原稿をセットしてください。スキャンを開始します。」といったメッセージを表示する。そして、処理はステップＳ４０１に戻る。
【００７５】
以上で、本発明の第２実施形態に係る画像送信システム１００ａの動作の内、画像処理装置１ａ側の動作の説明を終了する。
【００７６】
以上のように、第２実施形態に係る画像処理装置１ａは、原稿がセットされていない場合に、入出力部１３の液晶ディスプレイ４１に原稿がセットされていない旨のメッセージを表示する。このため、画像処理装置１ａのユーザは、原稿がセットされていないことを知ることができる。
【００７７】
≪第２実施形態に係る画像送信システムの他の構成≫
第２実施形態に係る画像読取制御部３１ａは、画像読取部１１ａから原稿がセットされていないことを示す信号を受信した場合に、表示部としての液晶ディスプレイ４１に原稿がセットされていない旨のメッセージを表示していた。これに対して、画像読取制御部３１ａは、画像読取部１１ａから原稿がセットされていないことを示す信号を受信した場合に、携帯端末２に原稿がセットされていない旨のメッセージを送信し、携帯端末２の表示画面に送信したメッセージを表示するようにしてもよい。
【００７８】
この場合、処理動作としては、ステップＳ４０２の後に、画像読取制御部３１ａは、携帯端末２に原稿がセットされていない旨のメッセージを送信するようにする（図１３のステップＳ４０３参照）。
【００７９】
[第３実施形態]
≪概要≫
第３実施形態に係る画像送信システム１００ｂでは、画像処理装置１ｂが任意に決定したパスワードを携帯端末２に送信し、画像の読み取りに際し、ユーザが送信されたパスワードの入力を行う。
【００８０】
≪第３実施形態に係る画像送信システムの構成≫
＜画像処理装置＞
図１１を参照して、第３実施形態に係る画像処理装置１ｂの構成について説明する。
第３実施形態に係る画像処理装置１ｂは、第２実施形態に係る画像処理装置１ａと比較して、ユーザ情報格納部２３が追加され、ハードウェア制御部３１ｂ、外部端末通信部３３ｂ、及び電子メール送信部３４ｂの機能が変更されている。
【００８１】
（ユーザ情報格納部）
ユーザ情報格納部２３は、外部端末通信部３３ｂで任意に決定したパスワードに関連付けて、送信先端末４のユーザに対する音声メッセージの音声ファイル(録音データ)、及びユーザ自身を撮影した写真の画像ファイル(撮像画像データ)が記憶される。パスワードは、例えば、数字４桁で構成される。
【００８２】
（画像読取制御部）
画像読取制御部(ハードウェア制御部)３１ｂは、第２実施形態の画像読取制御部３１ａ（図８参照）の機能に加えて、原稿画像の読み取りに際し、表示部としての液晶ディスプレイ４１にパスワードの入力を促すメッセージを表示する。図１２に、画像読取制御部３１ｂが、液晶ディスプレイ４１に表示するメッセージの一例を示す。そして、画像読取制御部３１ｂは、正しいパスワードの入力が行われると、画像の読み取りを開始する。
【００８３】
（外部端末通信部）
外部端末通信部３３ｂは、第１実施形態及び第２実施形態の外部端末通信部３３（図２、図８参照）の機能に加えて、携帯端末２から、送信先端末４のユーザに対する音声メッセージの音声ファイル(録音データ)、及びユーザ自身を撮影した写真の画像ファイル(撮像画像データ)を受信すると、パスワードを任意に決定し、パスワードに関連付けて受信したデータをユーザ情報格納部２３に格納する。また、外部端末通信部３３ｂは、任意に決定したパスワードを携帯端末２に通知する。
【００８４】
（電子メール送信部）
電子メール送信部３４ｂは、第１実施形態及び第２実施形態の電子メール送信部３４（図２、図８参照）の機能に加えて、入力されたパスワードをキーにしてユーザ情報格納部２３を検索し、該当する送信先端末４のユーザに対する音声メッセージの音声ファイル(録音データ)、及びユーザ自身を撮影した写真の画像ファイル(撮像画像データ)を取得し、取得したデータを画像処理装置１ｂで読み取った原稿画像の読取画像データと共に電子メールに添付して送信する。
以上で、本発明の第３実施形態に係る画像送信システム１００ｂの構成の説明を終了する。
【００８５】
≪第３実施形態に係る画像送信システムの動作≫
＜画像処理装置側の動作＞
以下、図１３を参照して、第３実施形態に係る画像送信システム１００ｂにおける画像処理装置１ｂ側の動作を説明する。なお、図１０に示す第２実施形態に係る画像送信システムにおける画像処理装置１ａ側の動作との相違は、ステップＳ１０５とステップＳ４０１の間にステップＳ５０１が追加されている点と、ステップＳ４０１とステップＳ１０７との間にステップＳ５０２、ステップＳ５０３が追加されている点と、ステップＳ１０８がステップＳ５０４に変更されている点である。
【００８６】
ステップＳ１０５に続き、外部端末通信部３３ｂは、パスワードを任意に決定し、パスワードに関連付けて受信したデータをユーザ情報格納部２３に格納する。また、外部端末通信部３３ｂは、任意に決定したパスワードを携帯端末２に通知する（ステップＳ５０１）。そして、処理はステップＳ４０１に進む。
【００８７】
前記ステップＳ４０１“Ｙｅｓ”の場合、続いて、画像読取制御部３１ｂは、入出力部１３にパスワードの入力を促すメッセージを表示し、パスワードの入力待ちを開始する（ステップＳ５０２）。
【００８８】
次に、画像読取制御部３１ｂは、パスワードが入力されたか否かを判定する（ステップＳ５０３）。パスワードが入力されたと判定した場合（ステップＳ５０３“Ｙｅｓ”）に、処理はステップＳ１０７に進む。一方、パスワードが入力されていないと判定した場合（ステップＳ５０３“Ｎｏ”）に処理はステップＳ５０２に戻る。
【００８９】
ステップＳ１０７に続き、電子メール送信部３４ｂは、入力されたパスワードをキーにしてユーザ情報格納部２３を検索し、該当する送信先端末４のユーザに対する音声メッセージの音声ファイル(録音データ)、及びユーザ自身を撮影した写真の画像ファイル(撮像画像データ)を取得し、取得したデータを画像処理装置１で読み取った原稿画像の読取画像データと共に電子メールに添付して送信する（ステップＳ５０４）。
【００９０】
以上で、本発明の第３実施形態に係る画像送信システムの動作の内、画像処理装置側の動作の説明を終了する。
【００９１】
以上のように、第３実施形態に係る画像処理装置１ｂは、携帯端末２からの情報がユーザ情報格納部２３に保存されており、また、携帯端末２には画像の読み取りを開始するパスワードを発行し、読み取りの際にパスワードを確認する。このため、第三者が違う原稿をセットして、間違った読取画像データが誤って送信されることを防止することができる。
【００９２】
[変形例]
以上、本発明の実施形態について説明したが、本発明はこれに限定されるものではなく、その趣旨を変えない範囲で実施することができる。実施形態の変形例を以下に示す。
【００９３】
（第１実施形態）
第１実施形態では、画像処理装置１と携帯端末との通信をインターネット及び携帯電話回線で行っていたが、Ｂｌｕｅｔｏｏｔｈ(登録商標)、無線ＬＡＮ、赤外線通信等により行ってもよい。第２、３実施形態についても同様である。
【００９４】
第１実施形態では、外部端末通信部３３は、録音機能で作成した録音データ、及びカメラ機能で作成した撮像画像データの両方を受信していたが、録音データ又は撮像画像データを単独で受信するようにしてもよい。第２、３実施形態についても同様である。
【００９５】
第１実施形態では、外部端末通信部３３は、携帯端末２が備えるアドレス帳機能で作成したアドレス情報、録音機能で作成した録音データ、及びカメラ機能で作成した撮像画像データを一括して受信するようにしていたが、最初にこれらの内いずれかのデータを受信し、その後、受信していないデータを追加して受信するようにしてもよい。その際に、受信していないデータを追加して受信する動作と、原稿画像の読み取り動作を並行して行うようにするのが好適である。第２、３実施形態についても同様である。
【００９６】
第１実施形態では、携帯端末２の通信機能は、携帯端末２自身が通信機能を実現するためのアプリケーションプログラムを備えることを想定していたが、外部端末通信部３３が、携帯端末２の所持者に対して、所持者自身の顔画像を撮像させるための撮像誘導画面、及び所持者の発音を録音させるための録音誘導画面の何れか一方又は双方からなる情報、及び当該撮像誘導画面の応答として撮像画像データを送信させ、当該録音誘導画面の応答として録音データを送信させるプログラムを携帯端末２に送信するようにしてもよい。第２、３実施形態についても同様である。
【００９７】
第１実施形態では触れていないが、外部端末通信部３３は、携帯端末２の所持者に対して、所持者自身の顔画像を撮像させるための撮像誘導画面、及び所持者の発音を録音させるための録音誘導画面の何れか一方又は双方からなる情報を表示部としての液晶ディスプレイ４１に表示するようにしてもよい。
【００９８】
（第３実施形態）
第３実施形態では、ユーザ情報格納部２３に携帯端末２からの情報を保存していたが、ネットワーク上の配設するサーバに保存するようにしてもよい。その際に、保存されたデータは、一定時間経過すると破棄することもできる。
【符号の説明】
【００９９】
１，１ａ，１ｂ    画像処理装置
２                携帯端末
３                メールサーバ
４                送信先端末
５                ネットワーク
１１，１１ａ      画像読取部
１２              ＬＡＮインタフェース
１３              入出力部
２０              記憶部
２１              アドレス帳
２２              画像格納部
２３              ユーザ情報格納部
３０              制御部
３１，３１ａ，３１ｂ  画像読取制御部（ハードウェア制御部）
３２              画像処理部
３３，３３ｂ      外部端末通信部
３４，３４ｂ      電子メール送信部
４１              液晶ディスプレイ（表示部）
５０              表示画面
１００，１００ａ，１００ｂ    画像送信システム
【図１】
2012195648.tif 000003
【図２】
2012195648.tif 000004
【図３】
2012195648.tif 000005
【図４】
2012195648.tif 000006
【図５】
2012195648.tif 000007
【図６】
2012195648.tif 000008
【図７】
2012195648.tif 000009
【図８】
2012195648.tif 000010
【図９】
2012195648.tif 000011
【図１０】
2012195648.tif 000012
【図１１】
2012195648.tif 000013
【図１２】
2012195648.tif 000014
【図１３】
2012195648.tif 000015
【図１４】
2012195648.tif 000016